(57)【要約】【課題】可動端子と固定端子を確実に接触させることができるスイッチ装置を得る。【解決手段】ストライカ８８がラッチ９０に係止されていない状態で、ターミナルベース１４の固定端子５４にスプリングターミナル７０の可動端子７４が接触している。つまり、マイクロスイッチはＯＮの状態となっている。ここで、可動端子７４は外側へ向って折曲げられており、板バネ機能を有している。さらに、可動端子７４の先端部には、半球状の接点部７４Ａが外側へ向かって突出しており、該接点部７４Ａが固定端子５４の接点部５４Ａと接触する。このように、接点部７４Ａが接点部５４Ａに接触した状態で、可動端子７４には弾性エネルギが蓄積される。このため、単に可動端子７４と固定端子５４を接触させるだけの場合と比較して、可動端子７４と固定端子５４の接触力が向上し、可動端子７４と固定端子５４を確実に接触させることができる。【選択図】図２
2010192339.tif 000002
【特許請求の範囲】
【請求項１】
ハウジングから突出可能に設けられた移動部材と、
前記移動部材に設けられ、ストライカと係合するラッチ部材と、
前記移動部材を前記ハウジングから突出させる方向へ付勢する付勢手段と、
前記付勢手段に付勢力が蓄積された状態で、前記ハウジングに対して前記移動部材を移動不能にロックし、移動部材がハウジングにロックされた状態で移動部材をハウジング内へ押込むと移動部材のロック状態を解除するロック手段と、
前記移動部材に設けられた可動端子と、
前記ハウジング内に固定された固定部材に設けられ、前記移動部材のロック状態で、前記可動端子が接触して導通し、移動部材のロック解除状態で、可動端子が非接触となって非導通となる固定端子と、
を備え、
少なくとも可動端子又は固定端子に弾性エネルギが蓄積された状態で、前記可動端子と前記固定端子が接触するスイッチ装置。
【請求項２】
ハウジングから突出可能に設けられた移動部材と、
前記移動部材に設けられ、ストライカと係合するラッチ部材と、
前記移動部材を前記ハウジングから突出させる方向へ付勢する付勢手段と、
前記付勢手段に付勢力が蓄積された状態で、前記ハウジングに対して前記移動部材を移動不能にロックし、移動部材がハウジングにロックされた状態で移動部材をハウジング内へ押込むと移動部材のロック状態を解除するロック手段と、
前記移動部材に設けられた可動端子と、
前記ハウジング内に固定された固定部材に設けられ、前記移動部材のロック解除状態で、前記可動端子が接触して導通し、移動部材のロック状態で、可動端子が非接触となって非導通となる固定端子と、
を備え、
少なくとも可動端子又は固定端子に弾性エネルギが蓄積された状態で、前記可動端子と前記固定端子が接触するスイッチ装置。
【請求項３】
前記ラッチ部材が前記移動部材に回転可能に支持され、前記ハウジング内には移動部材の移動量を前記ラッチ部の回転力に変換させるカム手段が設けられた請求項１又は２に記載のスイッチ装置。
【請求項４】
前記ハウジングに前記固定部材を固定する固定手段を設けた請求項１〜３の何れか１項に記載のスイッチ装置。
【請求項５】
前記固定手段が、
前記ハウジングに設けられた開口と、
前記固定部材に設けられ、前記開口へ進入し、開口の口縁部に係止される突起部と、を含んで構成された請求項４に記載のスイッチ装置。
【請求項６】
前記ロック手段が、
前記移動部材に形成された循環カム溝と、
前記ハウジングに揺動可能に設けられて、前記循環カム溝に沿って循環し、循環カム溝に設けられた係止部に係止された状態で、前記移動部材をロックするガイド部材と、
を含んで構成された請求項１〜５の何れか１項に記載のスイッチ装置。
【請求項７】
前記ロック手段が、
前記ハウジングに形成された循環カム溝と、
前記移動部材に揺動可能に設けられて、前記循環カム溝に沿って循環し、循環カム溝に設けられた係止部に係止された状態で、前記移動部材をロックするガイド部材と、
を含んで構成された請求項１〜５の何れか１項に記載のスイッチ装置。
【請求項８】
前記固定端子が前記固定部材にインサート成形された請求項１〜７の何れか１項に記載のスイッチ装置。
【発明の詳細な説明】
【技術分野】
【０００１】
本発明は、スイッチ装置に関する。
【背景技術】
【０００２】
カップホルダーや灰皿などの車室内のアクセサリーやオーディオ機器等にはスイッチ装置が備えられている。例えば、特許文献１では、スイッチ付ラッチが開示されており、コイルスプリングで付勢され突出位置に位置する可動部材をハウジング内へ押し込むことにより、ロック機構がロック状態となって可動部材を押し込み位置にロックする。
【０００３】
そして、この状態で、マイクロスイッチがオフとなり、押し込み位置の可動部材を再度ハウジング内へ押し込むことにより、ロック機構のロック状態が解除され、可動部材が突出位置へ戻ると共に、マイクロスイッチがオンとなる。
【０００４】
このスイッチ付ラッチでは、マイクロスイッチが、可動部材に取り付けられたピンと、ハウジング内に固定され可動部材の突出位置でピンの両端部が接触して導通状態となり、可動部材の押し込み位置でピンの両端部が非接触となって非導通状態となる一対の固定端子と、を備えており、固定端子には端子孔が形成され、該端子孔内にピンが挿入可能とされている。
【０００５】
可動部材が突出位置に到達すると、端子孔の端部がピンに接触して、導通状態となるが、端子孔の幅はピンの外径寸法よりも大きくされており、端子孔の端部がピンの外径寸法と略同一となっている。このため、一対の固定端子でその位置がずれると、端子孔の内縁部がピンに接触しない場合が懸念される。
【先行技術文献】
【特許文献】
【０００６】
【特許文献１】特開２００５−４２４２８号公報
【発明の概要】
【発明が解決しようとする課題】
【０００７】
本発明は上記事実を考慮して、可動端子と固定端子を確実に接触させることができるスイッチ装置を提供することを目的とする。
【課題を解決するための手段】
【０００８】
請求項１に記載の発明は、スイッチ装置において、ハウジングから突出可能に設けられた移動部材と、前記移動部材に設けられ、ストライカと係合するラッチ部材と、前記移動部材を前記ハウジングから突出させる方向へ付勢する付勢手段と、前記付勢手段に付勢力が蓄積された状態で、前記ハウジングに対して前記移動部材を移動不能にロックし、移動部材がハウジングにロックされた状態で移動部材をハウジング内へ押込むと移動部材のロック状態を解除するロック手段と、前記移動部材に設けられた可動端子と、前記ハウジング内に固定された固定部材に設けられ、前記移動部材のロック状態で、前記可動端子が接触して導通し、移動部材のロック解除状態で、可動端子が非接触となって非導通となる固定端子と、を備え、少なくとも可動端子又は固定端子に弾性エネルギが蓄積された状態で、前記可動端子と前記固定端子が接触する。
【０００９】
請求項１に記載の発明では、ハウジングから移動部材が突出可能とされており、該移動部材にはストライカと係合するラッチ部材が設けられている。ここで、移動部材をハウジングから突出させる方向へ付勢する付勢手段が設けられており、付勢手段に付勢力が蓄積された状態で、ハウジングに対して移動部材が移動不能にロックされ、移動部材がハウジングにロックされた状態で移動部材をハウジング内へ押込むと移動部材のロック状態が解除される。
【００１０】
また、移動部材には可動端子が設けられており、ハウジング内に固定された固定部材に設けられた固定端子が接触可能とされている。そして、移動部材のロック状態では、可動端子が固定端子に接触して導通し、移動部材のロック解除状態では、可動端子が固定端子に対して非接触となって非導通となる。
【００１１】
ここで、少なくとも可動端子又は固定端子に弾性エネルギが蓄積された状態で、可動端子と固定端子を接触させる。これにより、単に可動端子と固定端子を接触させるだけの場合と比較して、可動端子と固定端子の接触力が向上する。つまり、可動端子と固定端子を確実に接触（導通）させることができる。
【００１２】
請求項２に記載の発明は、スイッチ装置において、ハウジングから突出可能に設けられた移動部材と、前記移動部材に設けられ、ストライカと係合するラッチ部材と、前記移動部材を前記ハウジングから突出させる方向へ付勢する付勢手段と、前記付勢手段に付勢力が蓄積された状態で、前記ハウジングに対して前記移動部材を移動不能にロックし、移動部材がハウジングにロックされた状態で移動部材をハウジング内へ押込むと移動部材のロック状態を解除するロック手段と、前記移動部材に設けられた可動端子と、前記ハウジング内に固定された固定部材に設けられ、前記移動部材のロック解除状態で、前記可動端子が接触して導通し、移動部材のロック状態で、可動端子が非接触となって非導通となる固定端子と、を備え、少なくとも可動端子又は固定端子に弾性エネルギが蓄積された状態で、前記可動端子と前記固定端子が接触する。
【００１３】
請求項２に記載の発明では、移動部材のロック解除状態では、可動端子が固定端子に接触して導通し、移動部材のロック状態では、可動端子が固定端子に対して非接触となって非導通となるが、請求項１に記載の発明の効果と略同一の効果を得ることができる。
【００１４】
請求項３に記載の発明は、請求項１又は２に記載のスイッチ装置において、前記ラッチ部材が前記移動部材に回転可能に支持され、前記ハウジング内には移動部材の移動量を前記ラッチ部の回転力に変換させるカム手段が設けられている。
【００１５】
請求項３に記載の発明では、ラッチ部材が移動部材に回転可能に支持されており、前記ハウジング内に設けられたカム手段によって、移動部材の移動量をラッチ部の回転力に変換させることができる。
【００１６】
請求項４に記載の発明は、請求項１〜３の何れか１項に記載のスイッチ装置において、前記ハウジングに前記固定部材を固定する固定手段を設けている。
【００１７】
請求項４に記載の発明では、ハウジングに固定部材を固定する固定手段を設けることで、固定部材をハウジングに対して位置決めすることができる。
【００１８】
請求項５に記載の発明は、請求項４に記載のスイッチ装置において、前記固定手段が、前記ハウジングに設けられた開口と、前記固定部材に設けられ、前記開口へ進入し、開口の口縁部に係止される突起部と、を含んで構成されている。
【００１９】
請求項５に記載の発明では、ハウジングに開口を設けている。固定部材には、突起部を設けており、ハウジング内に固定部材を挿入し、突起部が開口へ進入して開口の口縁部に係止されると、固定部材がハウジングに固定される。これによると、ハウジングの開口から突起部が露出するため、固定部材がハウジングに確実に固定されたか否かを目視で確認することができる。
【００２０】
請求項６に記載の発明は、請求項１〜５の何れか１項に記載のスイッチ装置において、前記ロック手段が、前記移動部材に形成された循環カム溝と、前記ハウジングに揺動可能に設けられて、前記循環カム溝に沿って循環し、循環カム溝に設けられた係止部に係止された状態で、前記移動部材をロックするガイド部材と、を含んで構成されている。
【００２１】
請求項６に記載の発明では、ロック手段が、移動部材に形成された循環カム溝を備えており、ハウジングにはガイド部材が揺動可能に設けられている。そして、移動部材の移動によって、ガイド部材が循環カム溝に沿って循環し、ガイド部材が循環カム溝に設けられた係止部に係止された状態で移動部材がロックされる。
【００２２】
請求項７に記載の発明は、請求項１〜５の何れか１項に記載のスイッチ装置において、前記ロック手段が、前記ハウジングに形成された循環カム溝と、前記移動部材に揺動可能に設けられて、前記循環カム溝に沿って循環し、循環カム溝に設けられた係止部に係止された状態で、前記移動部材をロックするガイド部材と、を含んで構成されている。
【００２３】
請求項７に記載の発明では、ハウジングに循環カム溝が形成され、移動部材にはガイド部材が揺動可能に設けられている。そして、移動部材の移動によって、ガイド部材が循環カム溝に沿って循環し、ガイド部材が循環カム溝に設けられた係止部に係止された状態で移動部材がロックされる。
【００２４】
請求項８に記載の発明は、請求項１〜７の何れか１項に記載のスイッチ装置において、前記固定端子が前記固定部材にインサート成形されている。
【００２５】
請求項８に記載の発明では、固定端子を固定部材にインサート成形することで、固定端子を固定部材に装着する作業を省くことができ、作業工数を削減することができる。
【発明の効果】
【００２６】
本発明は、上記構成としたので、可動端子と固定端子を確実に接触させることができる。
【図面の簡単な説明】
【００２７】
【図１】本発明の実施の形態に係るスイッチ装置を示す分解斜視図である。
【図２】本発明の実施の形態に係るスイッチ装置の横断面図であり、スイッチ装置にストライカが係止されていない状態のスイッチ装置のみを示している。
【図３】本発明の実施の形態に係るスイッチ装置のハウジングを示す斜視図である。
【図４】本発明の実施の形態に係るスイッチ装置の縦断面図であり、スイッチ装置にストライカが係止されていない状態を示している。
【図５】本発明の実施の形態に係るスイッチ装置の縦断面図であり、スイッチ装置にストライカを係止させる途中の状態を示している。
【図６】本発明の実施の形態に係るスイッチ装置の縦断面図であり、スイッチ装置にストライカが係止された状態を示している。
【図７】本発明の実施の形態に係るスイッチ装置の横断面図であり、スイッチ装置にストライカが係止された状態のスイッチ装置のみを示している。
【図８】本発明の実施の形態に係るスイッチ装置の縦断面図であり、スイッチ装置からストライカを無理に引張った状態を示している。
【発明を実施するための形態】
【００２８】
次に、本発明の実施の形態に係るスイッチ装置について説明する。
図１に示すように、スイッチ装置１０はハウジング１２を備えており、該ハウジング１２内にターミナルベース１４及びスライダー１６等が収容可能とされている。
【００２９】
（ハウジング）
まず、ハウジング１２について説明する。
図１に示すように、スイッチ装置１０には、角筒型を成すハウジング１２が備えられている。ここで、説明の便宜上、図１の矢印ＵＰはハウジング１２の上方を示し、矢印ＤＯＷＮはハウジング１２の下方を示している。
【００３０】
ハウジング１２の長手方向の一端側（図１中右側）には、ハウジング１２の側壁１２Ａから張り出すフランジ１８が設けられている。このフランジ１８はハウジング１２の下壁１２Ｂ側に設けられた傾斜部２０と、この傾斜部２０と繋がりハウジング１２の側壁１２Ａと平行に形成された直線部２２と、で構成されている。
【００３１】
直線部２２の近傍には、ハウジング１２の長手方向に沿って貫通穴２４が形成されており、該貫通穴２４内には、直線部２２側へ延出する係止片２６が設けられている。図２に示すように（なお、図２はスイッチ装置１０の横断面図である）、この係止片２６は先端側へ行くにしたがって外側へ向かって張り出しており、フランジ１８との間で、フレーム１１に形成された取付穴１１Ａの周縁部を挟持することで、ハウジング１２をフレーム１１に取付け可能としている。
【００３２】
一方、図１に示すように、フランジ１８の直線部２２では、ハウジング１２の側壁１２Ａの外側に張り出した分、直線部２２の内壁は傾斜部２０の内壁よりも外側に広がり、ハウジング１２の一端部では、ハウジング１２の上壁１２Ｃ側の開口２８が下壁１２Ｂ側の開口３０よりも幅広となっている。このため、スライダー１６をハウジング１２内に収容させるとき、スライダー１６の上下方向の逆挿入が防止される。ここで、図３に示すように、ハウジング１２の一端側の側壁１２Ａの内側には、後述するが、三角形状を成すカム斜面（カム手段）３２が形成されている。
【００３３】
また、ハウジング１２の他端側の上壁１２Ｃ及び下壁１２Ｂには、ハウジング１２の幅方向に沿って、矩形穴３６が貫通している。そして、ハウジング１２内には、矩形穴３６のフランジ１８側に位置する口縁部近傍にストッパ３８が設けられている。
【００３４】
ストッパ３８は、直方体状を成す首部４０と胴部４２を備えている。首部４０の、矩形穴３６とは反対側の面の上端部には、係合凹部４４が設けられており、略Ｕ字状を成すレバー４６（図１参照）の基部４６Ａが係合可能とされている。
【００３５】
そして、後述するターミナルベース１４の延出片４８（図１参照）と係合凹部４４との間で、レバー４６の基部４６Ａが保持される（図４参照；なお、図４はスイッチ装置の縦断面図である）。これにより、レバー４６は基部４６Ａを中心に、レバー４６が上下方向に沿って揺動可能とされる。
【００３６】
一方、胴部４２の、矩形穴３６とは反対側の面の中央部には、ハウジング１２の長手方向に沿って突出する棒状の装着部５０が設けられている。この装着部５０にコイルスプリング５２（図１参照）が装着される。なお、首部４０の両側壁からは、ハウジング１２の幅方向に沿って延出した後、ハウジング１２の上壁へ延びる腕部（図示省略）が設けられている。
【００３７】
また、ストッパ３８の首部４０の上面とハウジング１２の上壁１２Ｃとの間、及び、胴部４２とハウジング１２の側壁１２Ａとの間には、それぞれ隙間が設けられており、後述するターミナルベース１４の延出片４８及び固定端子５４がそれぞれの隙間へ挿通可能とされている。
【００３８】
（ターミナルベース）
次に、ターミナルベースについて説明する。
図１及び図３に示すように、ターミナルベース１４は略直方体状を成しており、ハウジング１２の長手方向の他端側（図１中左側）から収容可能とされている。ハウジング１２内には、ストッパ３８が設けられているため、該ストッパ３８によってターミナルベース１４は移動規制される。
【００３９】
ここで、ターミナルベース１４の一端面はハウジング１２の開口に位置し、一端面の中央部からは、水平方向に沿って一対の長板状の導電性の固定端子５６が設けられている。この固定端子５６が、例えば、ＬＥＤの点灯装置などと接続されている。
【００４０】
また、ターミナルベース１４の他端面の下部両端部には、固定端子５６と接続された長板状の導電性の固定端子５４がそれぞれ水平方向に沿って設けられており、インサート成形によって固定端子５６と共に樹脂製のターミナルベース１４と一体に形成されている。これにより、固定端子５４、５６をターミナルベース１４に装着する作業を省くことができ、作業工数を削減することができる。
【００４１】
この固定端子５４が、前述したように、ハウジング１２の側壁１２Ａとストッパ３８の胴部４２の間に設けられた隙間内に挿通可能とされており、固定端子５４の先端部には、上方へ向かって垂直に起立する接点部５４Ａが設けられている。
【００４２】
また、ターミナルベース１４の他端面の上部中央からは、延出片４８が水平に延出しており、前述したように、ハウジング１２の上壁１２Ｃと首部４０の上面との間に設けられた隙間内に挿通可能とされ、延出片４８が該隙間内に挿通された状態で、延出片４８とストッパ３８の係合凹部４４との間でレバー４６が保持される（図４参照）。
【００４３】
さらに、ターミナルベース１４の上面及び下面には、突起部５８が設けられている。この突起部５８はハウジング１２に設けられた矩形穴３６へ進入可能とされており、ハウジング１２の長手方向の他端側からターミナルベース１４を圧入し、ターミナルベース１４がストッパ３８に当接して移動規制された状態で、突起部５８が矩形穴３６へ進入して該突起部５８は矩形穴３６の口縁部にそれぞれ係止される。
【００４４】
これにより、ターミナルベース１４がハウジング１２に固定される。また、この状態では、ハウジング１２の矩形穴３６から突起部５８が露出するため、ターミナルベース１４がハウジング１２に確実に固定されたか否かを目視で確認することができる。
【００４５】
（スライダー）
次に、スライダーについて説明する。
図１に示すように、スライダー１６は略直方体状を成しており、ハウジング１２の長手方向の一端側から収容可能とされている。スライダー１６はカム部６０と支持部６２とで構成されており、カム部６０側がハウジング１２内に収容される。
【００４６】
カム部６０の端面の中央部には、スライダー１６の長手方向に沿って略円柱状の収容凹部（図示省略）が形成されており、ストッパ３８の装着部５０に装着されたコイルスプリング５２の他端部が収容可能とされている。そして、スライダー１６はこのコイルスプリング５２によってハウジング１２から突出する方向へ付勢されるようになっている。
【００４７】
また、カム部６０の両側壁の上部には、略ハート状を成すカム溝６６が形成されている。このカム溝６６に、ストッパ３８の係合凹部４４に係合されたレバー４６の先端部に設けられた係合ピン４６Ｂがそれぞれ係合する。
【００４８】
カム部６０の両側壁の下部には、カム部６０の端面側に略直方体状の突設部６４が設けられており、該突設部６４の近傍には、係止孔６８が形成されている。この係止孔６８を介して、導電性のスプリングターミナル７０がカム部６０の両側壁の下部に装着可能とされている。
【００４９】
スプリングターミナル７０は、カム部６０の下壁に面接触される基部７２と、基部７２の両側に互いに対面するようにして折曲げられた可動端子７４と、で構成されている。可動端子７４は、基部７２の長手方向に沿って延出しており、可動端子７４の基部側には装着片７６が設けられ、該装着片７６が係止孔６８に係止される。
【００５０】
また、可動端子７４は互いに離間する方向へ向かって外側へ折曲げられており、板バネ機能を有している。さらに、可動端子７４の先端部の外面には、半球状の接点部７４Ａが外側へ向かって突出している。
【００５１】
また、接点部７４Ａの外面同士の離間距離は、ターミナルベース１４に設けられた固定端子５４の接点部５４Ａの内面同士の離間距離よりも大きくなっており、接点部７４Ａは接点部５４Ａと対面可能としている。このため、該接点部７４Ａは縮径された状態で固定端子５４の接点部５４Ａと接触する。そして、接点部７４Ａが接点部５４Ａに接触した状態で、互いに導通しマイクロスイッチがＯＮの状態となる。
【００５２】
ここで、固定端子５４の接点部５４Ａは、固定端子５４の先端部で上方へ向かって垂直に起立した状態で形成されているため、固定端子５４の基部側は、接点部５４Ａとの間に高さ方向でずれている。したがって、可動端子７４の接点部７４Ａが接点部５４Ａとの対面位置からずれると、可動端子７４の接点部７４Ａと固定端子５４は接触しない状態（非接触の状態）となる。
【００５３】
一方、支持部６２は、カム部６０よりも幅広とされており、支持部６２がカム部６０の一部を覆うようにして形成されている。そして、この支持部６２がカム部６０を覆っている領域では、支持部６２とカム部６０との間には、その幅方向で隙間が設けられている。
【００５４】
支持部６２には、スライダー１６の幅方向に沿って、軸支穴７８が形成されており、ラッチ部材８０に設けられた軸部８２が支持部６２とカム部６０との間に設けられた隙間内を挿通して、軸支穴７８に軸支される。これにより、ラッチ部材８０が軸部８２を中心にスライダー１６に対して揺動可能となる。
【００５５】
また、支持部６２の端面には、上部が切込まれてカム部６０の略半分の高さとなった張出部８４が設けられている。この張出部８４には、その上下方向に貫通する挿通穴８６が形成されており、ラッチ部材８０の一端部に設けられたラッチ９０が、挿通穴８６内を上下に移動（揺動）可能としている。このラッチ９０によって、ストライカ８８（図４参照）が係止される。
【００５６】
また、ラッチ部材８０の他端部には、カム部６０の幅方向へ突出するガイド部９２が設けられている。このガイド部９２がハウジング１２の一端側の内側に設けられたカム斜面３２（図３参照）に当接可能としており、カム斜面３２の形状に従って、ガイド部９２を介して、ラッチ部材８０が軸部８２を中心に揺動する。
【００５７】
つまり、ラッチ部材８０がスライダー１６の支持部６２に揺動可能に支持された状態で、カム斜面３２によって、ガイド部９２を介して、スライダー１６の移動量をラッチ部材８０の回転力に変換させることができる。
【００５８】
ここで、図１に示すように、スライダー１６のカム部６０の下面の支持部６２側中央には、突起１６Ａが設けられており、ハウジング１２の一端側の下壁１２Ｂの中央に設けられた挿入穴（図示省略）内へ挿入可能とされている。突起１６Ａが挿入穴内へ挿入された状態で、突起１６Ａの移動範囲内でスライダー１６はハウジング１２内を移動可能となっている。これにより、スライダー１６が無闇にハウジング１２から抜け出さないようにしている。
【００５９】
（スイッチ装置の作用）
次に、本発明の実施の形態に係るスイッチ装置の作用について説明する。
図２及び図４に示すように（なお、図２ではストライカの図示を省略している）、ストライカ８８がラッチ９０に係止されていない状態では、コイルスプリング５２によってスライダー１６はハウジング１２から突出する方向へ付勢され、レバー４６の係合ピン４６Ｂはカム溝６６の導入部６６Ａに位置している。
【００６０】
ここで、ハウジング１２に設けられた挿入穴（図示省略）及びスライダー１６に設けられた突起１６Ａを介して該スライダー１６は移動規制されるため、コイルスプリング５２の付勢力によってスライダー１６がハウジング１２から抜け出ることはない。また、この状態では、ターミナルベース１４に設けられた固定端子５４の接点部５４Ａにスプリングターミナル７０に設けられた可動端子７４の接点部７４Ａが接触している。つまり、マイクロスイッチはＯＮの状態となっている。
【００６１】
この状態から、図５に示すように、ストライカ８８をハウジング１２側へ移動させる。ここで、ストライカ８８は表面が曲面状を成すボタン部９４を有しており、該ボタン部９４の裏面上部、すなわち、支持部６２の上部端面と対面可能な位置からは被係止片９６が突出している。この被係止片９６の先端部に設けられた鈎状の被係止部９６Ａがラッチ部材８０のラッチ９０に係止可能とされる。
【００６２】
まず、図４に示す状態から、ボタン部９４を押圧してストライカ８８をハウジング１２側へ移動させるが、ストライカ８８の被係止部９６Ａが支持部６２の上部端面に当接する。このため、この状態のままストライカ８８をハウジング１２側へ移動させると、支持部６２を介して、スライダー１６がコイルスプリング５２の付勢力に抗してハウジング１２内へ押込まれる。
【００６３】
図５に示すように、スライダー１６がハウジング１２内へ押込まれると、スライダー１６に設けられたガイド部９２及びハウジング１２に設けられたカム斜面３２を介して、ラッチ９０が上方へ向かって移動する。このとき、スライダー１６のカム溝６６の移動と共に、カム溝６６の形状に沿ってレバー４６の係合ピン４６Ｂは揺動する。
【００６４】
ここで、カム溝６６からはスライダー１６の長手方向に沿って第１終端部６６Ｂが延出しており、この第１終端部６６Ｂがレバー４６の係合ピン４６Ｂに当接すると、スライダー１６を介してストライカ８８はその移動が規制される。
【００６５】
これにより、ボタン部９４への押圧力を解除すると、コイルスプリング５２の付勢力により、スライダー１６がハウジング１２から突出する方向へ付勢される。このとき、カム溝６６の移動と共に、図６に示すように、カム溝６６の凹部６６Ｃがレバー４６の係合ピン４６Ｂに係止されスライダー１６が移動規制されると共に、被係止部９６Ａがラッチ９０に係止される。
【００６６】
そして、図６及び図７に示す状態では（なお、図７ではストライカの図示を省略している）、スプリングターミナル７０に設けられた可動端子７４の接点部７４Ａは、ターミナルベース１４に設けられた固定端子５４の接点部５４Ａの対面位置からずれており、接点部７４Ａと接点部５４Ａは非接触の状態となる。つまり、マイクロスイッチはＯＦＦの状態となる。
【００６７】
この状態で、ストライカ８８のボタン部９４を再度押圧して、スライダー１６をハウジング１２内へ押込むと、カム溝６６の移動と共に、カム溝６６の凹部６６Ｃとレバー４６の係合ピン４６Ｂとの係止状態が解除され、第１終端部６６Ｂの上部に設けられた第２終端部６６Ｄが、レバー４６の係合ピン４６Ｂに当接して、スライダー１６を介してストライカ８８はその移動が規制される。
【００６８】
これにより、ボタン部９４への押圧力を解除すると、コイルスプリング５２の付勢力により、スライダー１６がハウジング１２から突出する方向へ付勢される。このとき、カム溝６６の移動と共に、図４に示すように、カム溝６６の導入部６６Ａがレバー４６の係合ピン４６Ｂの位置へ戻る。また、スライダー１６のガイド部９２がカム斜面３２に沿って移動して、ラッチ９０が下方へ移動する。これにより、被係止部９６Ａがラッチ９０に係止された状態が解除される。
【００６９】
そして、この状態では、スプリングターミナル７０に設けられた可動端子７４の接点部７４Ａは、ターミナルベース１４に設けられた固定端子５４の接点部５４Ａに接触し、マイクロスイッチはＯＮの状態となる。
【００７０】
本実施形態では、可動端子７４は外側へ向って折曲げられており、板バネ機能を有している。さらに、可動端子７４の先端部には、半球状の接点部７４Ａが外側へ向かって突出しており、該接点部７４Ａがターミナルベース１４に設けられた固定端子５４の接点部５４Ａと接触する。そして、接点部７４Ａが接点部５４Ａに接触した状態で、スイッチがＯＮの状態となる。
【００７１】
つまり、可動端子７４に弾性エネルギが蓄積された状態で、固定端子５４が接触することとなる。このため、単に可動端子７４と固定端子５４を接触させるだけの場合と比較して、可動端子７４と固定端子５４の接触力が向上し、可動端子７４と固定端子５４を確実に接触（導通）させることができる。
【００７２】
なお、ここでは、固定端子５４と接触した状態で、可動端子７４に弾性エネルギが蓄積されるようにしたが、固定端子５４側に弾性エネルギが蓄積されるようにしても良いし、また、可動端子７４及び固定端子５４に弾性エネルギが蓄積されるようにしても良い。
【００７３】
ところで、本実施形態では、図６及び図７に示す状態で、ストライカ８８のボタン部９４を押圧して、スライダー１６をハウジング１２内へ押込み、カム溝６６の凹部６６Ｃとレバー４６の係合ピン４６Ｂとの係止状態を解除させ、コイルスプリング５２によってスライダー１６をハウジング１２から突出させることで、ラッチ部材８０を揺動させ、被係止片９６から係止解除させるようにしたが、必ずしもスライダー１６をハウジング１２内へ押込む必要はない。
【００７４】
ラッチ部材８０が支持部６２に対して揺動可能に設けられているため、図６及び図７に示す状態で、ストライカ８８を引張ると、ストライカ８８の被係止片９６を介して、ラッチ部材８０が支持部６２に対して揺動する。このため、図８に示すように、ラッチ９０を被係止片９６から係止解除させることができる。これによると、ストライカ８８とラッチ部材８０との間で必要以上に外力が作用した場合に、被係止片９６及びラッチ９０の破損を防止することができる。
【００７５】
また、本実施形態では、図４に示すように、ストライカ８８がラッチ９０に係止されていない状態で、ターミナルベース１４の固定端子５４の接点部５４Ａにスプリングターミナル７０の可動端子７４の接点部７４Ａを接触させ、スイッチがＯＮの状態となるようにしたが、スプリングターミナル７０の可動端子７４の接点部７４Ａの位置を変え、ストライカ８８がラッチ９０に係止されていない状態で、スイッチがＯＦＦの状態となり、ストライカ８８がラッチ９０に係止された状態で、スイッチはＯＮの状態になるようにしても良い。
【００７６】
また、ここでは、レバー４６をストッパ３８に取付けるようにしたが、スライダー１６を移動規制することができれば良いためこれに限るものではない。例えば、ハウジング１２にレバー４６を取付けても良い。さらに、ストライカ８８の形状はボタン部９４を有するものに限るものではない。例えば、ストライカとしては、板状の蓋体の裏面に被係止片を設けた形状であっても良く、また、該ストライカの形状によっては、ラッチ９０の形状を変えても良い。
【符号の説明】
【００７７】
１０      スイッチ装置
１２      ハウジング
１４      ターミナルベース（固定部材）
１６      スライダー（移動部材）
３２      カム斜面（カム手段）
３６      矩形穴（開口、固定手段）
４６      レバー（ガイド部材）
５２      コイルスプリング（付勢手段）
５４      固定端子
５８      突起部（固定手段）
６６      カム溝（循環カム溝）
６６Ｃ    凹部（係止部）
７４      可動端子
８０      ラッチ部材
８８      ストライカ
９２      ガイド部（カム手段）
【図１】
2010192339.tif 000003
【図２】
2010192339.tif 000004
【図３】
2010192339.tif 000005
【図４】
2010192339.tif 000006
【図５】
2010192339.tif 000007
【図６】
2010192339.tif 000008
【図７】
2010192339.tif 000009
【図８】
2010192339.tif 000010